(57)【要約】【課題】室内居住環境を良好にし、外装施工を安全で容易に行うことが可能な外壁パネルと、この外壁パネルの連結構造を提供する。【解決手段】所要の強度を備えた室内側壁部１６および室外側壁部１７により断面形状が矩形の枠体状に形成された保持部１８を有し、室外側壁部１７の外面には外装材１２が固定され、室外側壁部１７の室内側面には断熱材２０が取り付けられていて、保持部１８の内部空間のうち、断熱材２０を除く領域には炭粒層２２が収容されていて、保持部１８の外表面に設けられ、外壁パネル１０どうしを連結する際における連結端面には、連結端面から突出する突出部１４が保持部１８の厚さ方向の中心線位置から所要間隔をあけた部位に形成されていることを特徴とする外壁パネル１０である。【選択図】図４
2011252283.tif 000002
【特許請求の範囲】
【請求項１】
建築物の外壁部を構成する構造体として使用される外壁パネルであって、
所要の強度を備えた室内側壁部および室外側壁部により断面形状が矩形の枠体状に形成された保持部を有し、
前記室外側壁部の外面には外装材が固定され、前記室外側壁部の室内側面には断熱材が取り付けられていて、
前記保持部の内部空間のうち、前記断熱材を除く領域には炭粒層が収容されていて、
前記保持部の外表面に設けられ、外壁パネルどうしを連結する際における連結端面には、当該連結端面から突出する突出部が前記保持部の厚さ方向の中心線位置から所要間隔をあけた部位に形成されていることを特徴とする外壁パネル。
【請求項２】
前記室外側壁部には、当該室外側壁部の壁面領域内に内接する菱形形状を形成する位置と、当該菱形形状内の対向頂点どうしを連結する位置と、にそれぞれリブが立設されていることを特徴とする請求項１記載の外壁パネル。
【請求項３】
前記保持部の底面には、炭粒層内の水を排出するための水抜き孔が設けられていることを特徴とする請求項１または２記載の外壁パネル。
【請求項４】
前記保持部がアルミ板からなることを特徴とする請求項１〜３のうちのいずれか一項に記載の外壁パネル。
【請求項５】
前記保持部が炭素繊維により補強された合成樹脂製板からなることを特徴とする請求項１〜３のうちのいずれか一項に記載の外壁パネル。
【請求項６】
建築物の外壁部を構成する構造体として使用される外壁パネルの連結構造であって、
請求項１〜５のうちのいずれか一項に記載の外壁パネルを連結状態に配設した際に、前記突出部どうしが前記保持部の厚さ方向において互い違いの配列、かつ、前記突出部の先端部が隣接する他の外壁パネルの対向端面に非接触状態に配設され、
前記突出部間に形成された空間内には、隣接する外壁パネルの対向端面のそれぞれに当接する連結部用断熱材が配設されていて、
さらに前記突出部の室内側および室外側のうち少なくとも室外側には、間詰め材が充てんされていることを特徴とする外壁パネルの連結構造。
【請求項７】
前記連結部用断熱材に真空断熱材が用いられていることを特徴とする請求項６記載の外壁パネルの連結構造。
【請求項８】
前記間詰め材に断熱用ウレタン材が用いられていることを特徴とする請求項６または７記載の外壁パネルの連結構造。
【発明の詳細な説明】
【技術分野】
【０００１】
本発明は、外装材と断熱材とを一体に設けた外壁パネルに関する。
【背景技術】
【０００２】
近年、家屋等の建築物の外壁を施工する際、外装材と断熱材とを一体に設けた外壁パネルを張り付ける工法が提案されている（特許文献１参照）。図７は、特許文献１にかかる外壁パネルの一例を示す構造断面図である。
図７に示した特許文献１にかかる外壁パネル１００は、所定大きさの断熱材１０２と遮熱層１０４と合成樹脂シート１０６とを、室内側から室外側に順に接着剤により貼り合わせ、合成樹脂シート１０６の室外側の側面にタイル１０８を貼り付けて一体に形成したものである。このように、外装部材であるタイル１０８と断熱部材である断熱材１０２、遮熱層１０４と合成樹脂シート１０６の接着体とが一体に形成された外壁パネル１００は、予め工場等で製造可能であり、家屋を建てる際に、間柱に配設するだけで簡単に外壁を施工することができる。
【０００３】
近年、内装材を貼り付ける接着剤の一部に含まれているホルムアルデヒド等の有害化学物質が健康を害するといった問題がある。これは、接着剤に含まれる有害化学物質がわずかに気化し続け、徐々に汚染されることで発生するものである。特に、近年の建物は気密性が高いことからこのような汚染による健康上の不具合の発生が顕著になるという問題がある。
【０００４】
そこで出願人は、内装材に含まれる有害物質の清浄化を目的として、特許文献２にあるような外壁パネルの提案を行った。図８は、特許文献２にかかる外壁パネルの構造を示す断面図である。図８に示した特許文献２にかかる外壁パネル２００は、鋼板により枠体状に形成され、室外側壁部１１７の外面に外装材１１２が固定され、室内側壁部１１６に通気孔１２４が設けられた保持部１１８の内部に室内側壁部１１６に沿って炭粒層１２２と薄鋼板からなる網板１２８が設けられ、炭粒層１２２を除く領域に断熱材１２０を充てんしてなるものである。このように形成された外壁パネル２００は、下端面１１１および上端面１１３にそれぞれ凸部１１１ａ，１１３ａが形成されており、互いの凸部１１１ａ，１１３ａを互い違いの配列にして嵌合させることにより、外壁パネル２００を上下方向に連結する構造が採用されている。このような外壁パネル２００により、気密性の高い建物であっても建物内の空気を常に清浄化し、健康的な生活をすることができる建物の構築の提供が可能になった。
【先行技術文献】
【特許文献】
【０００５】
【特許文献１】特開平１１−９３２８９号公報
【特許文献２】特開２００５−１２６９０４号公報
【発明の概要】
【発明が解決しようとする課題】
【０００６】
出願人は特許文献２を提案した後も引き続き鋭意研究を進めた結果、特許文献２で提案した外壁パネルには更なる軽量化の余地があるという課題と、凹凸嵌合させる部分は精細な加工精度が要求されるため、製造コストが高くなること、および、外壁パネルを上下方向に連結するためには、作業足場が必要であり、しかも外壁パネルを持ち上げながらの作業になるため、作業が危険で非効率になってしまうといった課題を見出した。
【０００７】
本発明は、室内居住環境を良好にすることはもちろんのこと、外装施工を安全で容易に行うことが可能な外壁パネルと、この外壁パネルの連結に用いて好適な外壁パネルの連結構造を提供することを目的とする。
【課題を解決するための手段】
【０００８】
すなわち、本願発明は、建築物の外壁部を構成する構造体として使用される外壁パネルであって、所要の強度を備えた室内側壁部および室外側壁部により断面形状が矩形の枠体状に形成された保持部を有し、前記室外側壁部の外面には外装材が固定され、前記室外側壁部の室内側面には断熱材が取り付けられていて、前記保持部の内部空間のうち、前記断熱材を除く領域には炭粒層が収容されていて、前記保持部の外表面に設けられ、外壁パネルどうしを連結する際における連結端面には、当該連結端面から突出する突出部が前記保持部の厚さ方向の中心線位置から所要間隔をあけた部位に形成されていることを特徴とする外壁パネルである。
【０００９】
また、本願発明にかかる外壁パネルを連結状態に配設した際に、前記突出部どうしが前記保持部の厚さ方向において互い違いの配列、かつ、前記突出部の先端部が隣接する他の外壁パネルの対向端面に非接触状態に配設され、前記突出部間に形成された空間内には、隣接する外壁パネルの対向端面のそれぞれに当接する連結部用断熱材が配設されていて、さらに前記突出部の室内側および室外側のうち少なくとも室外側には、間詰め材が充てんされていることを特徴とする外壁パネルの連結構造の発明もある。
【発明の効果】
【００１０】
本発明における外壁パネルの構成を採用することにより、室内居住環境を良好にすることはもちろんのこと、外壁パネルを大幅に軽量化することができ、作業足場を不要とし、容易に外壁パネルどうしを連結することができる。これにより外装施工を容易かつ低コストにて行うことができる。
【図面の簡単な説明】
【００１１】
【図１】本発明にかかる外壁パネルの一実施形態の構成を示す正面図および背面図である。
【図２】図１に示す外壁パネルを水平方向に並べて配置した際の状態を示す断面図である。
【図３】図１に示す外壁パネルの取り付け状態を示す拡大図である。
【図４】外壁パネルを連結する際の各工程における概略状態を示す断面図である。
【図５】外壁パネルが家屋に取り付けられた状態を示す概念図である。
【図６】外壁パネルの他の実施形態の一例を示す断面図である。
【図７】特許文献１にかかる外壁パネルの構成を示す断面図である。
【図８】特許文献２にかかる外壁パネルの構成を示す断面図である。
【発明を実施するための形態】
【００１２】
以下、本発明にかかる外壁パネルの好適な実施の形態を添付図面に基づいて詳細に説明する。図１は、本発明にかかる外壁パネルの一実施形態の構成を示す正面図および背面図であり、図２は、図１に示す外壁パネルを水平方向に並べて配置した際の状態を示す断面図である。また、図３は、図１に示す外壁パネルを家屋に設置した状態を示す概略図である。図２の断面位置は図１（Ａ）におけるＡ−Ａ線位置であり、図３の断面位置は、図１（Ｂ）におけるＢ−Ｂ線位置に相当する位置である。
【００１３】
図１に示すように、本実施形態の外壁パネル１０は、建築物の外壁部を構成する構造体として使用され、外装材１２と、外装材１２よりも室内側に配設される保持部１８とを貼り合わせて一体に形成したものである。
保持部１８は、所要の強度を備えた室内側壁部１６および室外側壁部１７により断面矩形の枠体状に形成されている。図２に示すように、保持部１８の内部には断熱作用をなす断熱材２０と、空気浄化作用をなす炭粒層２２とが収容されている。本実施形態における室内側壁部１６はパネル体に形成され、室外側壁部１７は、断面コの字状に形成されたパネル体に形成されている。室内側壁部１６と室外側壁部１７とは、断熱材２０と炭粒層２２の配設を終えた後に溶接等により保持部１８として一体化される。
【００１４】
本実施形態においては、保持部１８の外側に取り付けられる外装材１２として、平板状のパネルが用いられている。この外装材１２は、接着剤により保持部１８の室外側壁部１７の室外側面に接着剤で接着されて保持部１８と一体に設けられ、外壁パネル１０が形成される。この外装材１２の一例として、薄片に切り分けされた自然石を貼り付けたパネル体を用いることもできるが、合成樹脂製の模造石パネルを用いれば、外壁パネル１０の軽量化の点においてさらに好都合である。
【００１５】
図１および図２に示すように、本実施形態の外壁パネル１０は、外壁パネル１０を水平方向に並べて配設する際に、外壁パネル１０どうしを容易にかつ確実に連結することができる構造が採用されている。具体的には、外壁パネル１０の連結端面（すなわち、外壁パネル１０の側面）に、連結対象の外壁パネル１０側に突出する突出部１４が外壁パネル１０の板厚の中心位置（中心線位置）から所要間隔をあけた（図２内のｅ）部位に設けられている。
【００１６】
外壁パネル１０の一方の連結端面に設けられた突出部１４は、外壁パネル１０の厚さ方向における中心線位置から室外側に離間した部位に、他方の連結端面に設けられた突出片１４は外壁パネル１０の厚さ方向における中心線位置から室内側に離間した部位にそれぞれ配設されている。外壁パネル１０を連結した際に両端位置に配設される外壁パネル１０においては、一方の連結端面にのみ突出部１４を設けているのはもちろんである。
このような突出部１４は、アルミ材を引き抜き加工することにより室外側壁部１７と一体形成することができる。また、室外側壁部１７とは別体のアルミ板を突出部１４として室外側壁部１７に溶接等によって取り付けすることもできる。
【００１７】
また、外壁パネル１０（保持部１８）の下端部分には壁面固定用のプレート１５が取り付けられている。このプレート１５には長手方向に所要間隔をあけて板厚方向に貫通する貫通孔１５ａが形成されている。このプレート１５は予め貫通孔１５ａを形成したものを溶接等により保持部１８に取り付けられる。外壁パネル１０は、構造材３６に取り付けられた取付用金具６０にプレート１５を固定することで構造材３６に装着されることになる。
【００１８】
本実施形態において保持部１８を構成する室内側壁部１６および室外側壁部１７は、地震や風等による外力に対する十分な強度を有するアルミ板で形成されている。保持部１８の室外側壁部１７の室内側面には、リブ１７Ａ（図１（Ａ）参照）が設けられている。このリブ１７Ａは、室外側壁部１７を正面視した際の平面領域において内接する菱形を形成するとともに、この菱形の対向頂点どうしを連結する（菱形の対角線を形成する）配列となるように配設されている。このようなリブ１７Ａを配設することにより、外壁パネル１０の保持部１８を構成する室外側壁部１７を薄肉化しても風荷重等に対して十分な強度を待たせることが可能になる。リブ１７Ａは溶接等により室外側壁部１７に配設することができる。
【００１９】
保持部１８に収容されている断熱材２０としては真空断熱材が好適に用いられる。断熱材２０は、保持部１８の室外側壁部１７の室内側面に接着剤を塗布した後、断熱材２０を圧着させることにより一体に取り付けられている。すなわち室外側壁部１７の室内側表面は、断熱材２０により被覆された状態になっている。
【００２０】
保持部１８の内部空間には、図２に示すように、断熱材２０と室内側壁部１６との間の領域（保持部１８の内部空間において断熱材２０が取り付けられている部分を除く領域）には備長炭に代表される木炭の粒（粒径が５ｍｍ〜８ｍｍ程度）が充てんされた炭粒層２２が設けられている。このように、外壁パネル１０の室内側壁面１６に沿わせた状態で炭粒層２２を設けることにより、炭の吸着力によって空気内に含まれる有害化学物質を吸着して室内の空気を浄化することができる。そして、保持部１８内を層構成にして室内側に炭粒層２２を設けることによって、炭粒層２２の浄化が有効に作用するように設けられている。
【００２１】
また保持部１８の室内側壁部１６には、孔径が約１０ｍｍの通気孔２４が多数並んで設けられている（図１（Ｂ）参照）。この通気孔２４は、所定幅の外周縁部１６ａよりも内側領域に設けられている。これは、後述する外壁パネル１０の取り付けの際、室内側壁部１６の外周縁部１６ａが、柱や桁材等の構造材３６に当接して取り付けられることから、空気が出入りする範囲のみに通気孔２４を設けたためである。
室内の空気は、室内側壁部１６に設けられた通気孔２４から保持部１８内に入り込むと、空気の通過しにくい断熱材２０内には入り込まず、炭粒層２２内を通って通気孔２４から室内側に戻ることから、空気は炭に効率よく触れ、炭の浄化作用が有効に作用する。
【００２２】
本実施形態においては、断熱材２０の作用効果を軽減させることなく、かつ十分な空気浄化作用をもたせるため、断熱材２０の厚さと炭粒層２２の厚さとの比を、おおむね１対３の割合となるように設けている。具体的には、断熱材２０の厚さを５〜８ｍｍとし、炭粒層２２の厚さを約２０ｍｍとしている。
なお、室内側壁部１６と炭粒層２２との間には、木炭粒が通気孔２４から外部に排出されないよう合成樹脂製の網板２８が設けられている。
【００２３】
ところで、上記外壁パネル１０は、炭粒層２２に室内空気が通過するので、寒い日などには炭粒層２２内が結露することがある。また、外壁パネル１０の使用期間が所定期間（目安として１０〜２０年）を経過した後には、炭粒層２２を洗浄する必要がある。そこで本実施形態においては、図５に示すように、保持部１８内部に、炭粒層２２の下端部２２ａから外壁パネル１０の底面１１を貫く水抜き孔１９が設けている。
【００２４】
水抜き孔１９は外壁パネル１０の上面の室外側位置と、外壁パネル１０の下面の室内側位置にそれぞれ配設されているので、上方の水抜き孔１９から注入された洗浄用の水は、炭粒層２２内を斜め方向に横断しながら流下することになり、炭粒層２２を効率的に洗浄処理することができる。このように結露水や洗浄排水は、炭粒層２２の炭粒の間を通って下端部２２ａに落ちた後水抜き孔１９により室外に排出される。よって炭粒層２２内に水が溜まって外壁パネル１０内がかびたり朽ちたりすることを防止され、季節を問わず長期にわたって良好な状態で炭粒層２２を使用することができる。
【００２５】
次に、本実施形態の外壁パネル１０を家屋３０に施工する際の取り付け方法、および家屋３０に取り付けられた外壁パネル１０の作用効果について説明する。
図３に示すように、外壁パネル１０は、建築物である家屋３０の構造材（柱や桁材、土台など）３６・・により形成された枠部に、室外側から枠部に取り付けられる大きさに予めつくられており、この外壁パネル１０を取付用金具６０により構造材３６に固定することで簡単に取り付けることができる。構造材３６と外壁パネル１０との間には透湿防水シート３８（図４，５参照）を配設することが好ましい。
【００２６】
隣接する外壁パネル１０どうしを連結する際について具体的に説明する。図４は、外壁パネルを連結する際の各工程における概略状態を示す断面図である。なお、図４の断面位置は、図１（Ａ）内のＡ−Ａ線に相当する断面位置である。
まず、構造材３６には外壁パネル１０を取り付ける側の面に透湿防水シート３８を貼付しておく（図５参照）。次に、図４（Ａ）に示すように、互いに隣接する外壁パネル１０の連結端面に設けられている突出部１４の先端位置が、連結対象の外壁パネル１０の連結端面との間にすき間Ｓ（すき間Ｓの寸法は５〜１０ｍｍ程度が好ましい）を持たせる位置となるように位置決めして配設する。
【００２７】
次に、図４（Ｂ）に示すように、互いの突出部１４，１４との間に形成された空間内に連結部用断熱材である真空断熱材５０を収容する。真空断熱材５０は、真空断熱材５０の外壁パネル１０の連結方向における両端部が外壁パネル１０の連結端面にそれぞれ当接した状態で配設され、真空断熱材５０の厚さ方向が突出部１４，１４により挟持された状態で収容されている。
続いて図４（Ｃ）に示すように、突出部１４が露出する部分（連結目地部分）に、断熱材（例えば、断熱用ウレタン材）からなる間詰め材５２を充てんする。突出部１４が露出する部分（連結目地部分）のうち室外側は、間詰め材５２の種類に係らず耐候性コーキング材５４を充てんすることにより、連結目地仕上げ処理を施すことが好ましい。
【００２８】
このように、本発明においては、断熱材２０と外装材１２とが一体となった外壁パネル１０を、所定の大きさに予め工場等でつくっておくことができる。本実施形態においては軽量化により、高さ方向には階数分の外壁パネル１０を用いれば家屋３０の外壁を形成することができるようになっており、２人の作業者での運搬が可能になっている。このように形成された外壁パネル１０を用いれば、パーティションを構築する際の要領で外壁パネル１０どうしを連結すれば、家屋３０の外壁を簡単に施工することができるのである。
【００２９】
以上に説明したように、本実施形態にかかる外壁パネル１０を採用することにより、断熱材と外装材とが別々に設けられたモルタルやサイディングなどによって張り付ける従来の外壁パネルを用いた施工方法に比べ、施工品質にばらつきをなくすことができる。
また、外壁パネル１０は、内部が断熱材２０と炭粒層２２の２層に設けられ、アルミ製の保持部１８や合成樹脂製の網板２８を採用していることから、従来の外壁パネルに比べて軽量である。このため、作業員が２人であっても取り付け作業は容易であり、しかも、家屋３０の外壁施工の際における作業足場の使用を不要または短期間にすることができ、仮設工事に要する費用を節約することができる。また、外壁施工の際には、外壁パネル１０を持ち上げながらの施工が不要になり、施工の安全性や効率を向上させることができ、高品質で低価格な家屋３０の提供に貢献する。
【００３０】
家屋３０に取り付けられた外壁パネル１０は、外壁パネル１０内に収容されている断熱材２０により、室内の気温を保つとともに、外壁パネル１０の通気孔２４から外壁パネル１０内に入り込んだ空気に含まれている有害化学物質等を炭粒層２２に吸着させることにより、常に室内の空気をクリーンに保つことができる。
このため、本実施形態においては、外壁パネル１０を設けておくことで自然に室内をクリーンに保つことができるので空気清浄器を設置する必要がない。
【００３１】
上記外壁パネル１０は、居室空間に空気対流扇３４が設けられている場合、特に顕著な効果を奏する。以下に、その作用について説明する。
図５に示す家屋３０には、居室空間３２内に空気を対流させるための空気対流扇３４が設けられている。この空気対流扇３４には、回転方向の正逆を切り換える制御部が備えられ、制御部は、所定時間おきに空気対流扇３４の回転方向を切り換えるように設定されている。
これにより、室内の空気を一方向のみに流すのではなく、空気を対流させることができるので、より外壁パネル１０の炭粒層２２内に空気を通過させ、室内の空気をクリーンにすることができる。
【００３２】
本実施形態においては、内装材４０に呼吸性のある材料が用いられていることから、居室空間３２内の空気対流扇３４を回転させると、室内の空気は内装材４０を通り抜け、内装材４０と外壁パネル１０との間の空気を対流させる。
空気対流扇３４を正方向に回転させた場合、図５に示す矢印Ａのように、外壁パネル１０の室内側壁部１６に風が当たるように作用することから、室内側壁部１６には、空気を保持部１８内に押し入れようとする正の圧力がかかる。反対に、空気対流扇３４を逆回転させた場合には、図５に示す矢印Ｂのように、外壁パネル１０の室内側壁部１６の空気が空気対流扇３４に吸引する作用をなすことから、室内側壁部１６には、保持部１８内の空気を吸い出そうとする負の圧力がかかる。
このように、空気対流扇３４は、回転方向を変更することにより外壁パネル１０の室内側壁部１６に供給される風の向きを切り替えすることができる。このため、本実施形態においては、空気対流扇３４の回転方向を所定時間おきに切り替えることで、室内の空気をより効率よくクリーンにすることができる。
【００３３】
ただし、本発明においては、内装材４０は呼吸性を有する材料であることに限定するものではなく、無呼吸性の材料により形成されている構成を採用してもよい。ただ、その場合には、内装材４０の上縁部４０ａおよび／または幅木４３に、空気が通過する網体スリット等の通気孔を設けることで、空気対流扇３４の上記作用が生じるように設けることができる。
【００３４】
なお、本発明にかかる外壁パネル１０においては、上述した実施の形態に限定されるものではない。例えば、本実施形態においては、外装材１２として模造石パネルを用いているが、これに限定されるものではなく、タイルやレンガ、吹き付け、左官仕上げ等であっても良い。また、外装材１２として、太陽光発電パネルや太陽熱吸収パネルを装着することももちろん可能である。
【００３５】
また、保持部１８も、アルミ板により形成されていることにのみ限定されるものではなく、炭素繊維により補強された炭素繊維入り合成樹脂等により形成すれば、外壁パネル１０の軽量化、高強度化、結露発生の防止の点において好都合である。
さらには、断熱材２０にリブ１７Ａの突出高さ以上の厚さ寸法を有するパネル状の第２の断熱材（図示せず）を貼着し、第２の断熱材をリブ１７Ａに食い込ませることにより、接着剤を用いることなく確実に室外側壁部１７に断熱材２０を密着させた状態で保持させることも可能である。
【００３６】
また、外壁パネル１０の連結端面に設ける突出部１４の配設位置を、図６に示すように、外壁パネル１０の厚さ方向の中心線からの偏心量ｅを、断熱材２０の厚さ寸法（Ｔ）の半分以上にすることが好適である。この構成を採用することにより、突出部１４，１４に挟持させる連結部用断熱材（実施形態では真空断熱材５０）の厚さ寸法を外壁パネル１０内の断熱材２０の厚さ寸法以上にすることができる。これにより外壁パネル１０どうしの連結目地部分における断熱性能の低下を防ぐことができ、より快適な家屋３０（建築物）の提供が可能になる。
【００３７】
さらに、本実施形態においては建築物である家屋３０がいわゆる平屋建ての構造について説明しているが、２階建て以上の家屋３０（建築物）にも本願発明にかかる外壁パネル１０を用いることができるのは当然である。このとき、外壁パネル１０の上下方向における連結は、下方の外壁パネル１０の上端面と上方の外壁パネル１０の下端面との間にプレート１５の突出高さに相当する隙間が生じることになる。しかしながら本願発明にかかる外壁パネル１０は、１枚あたりの高さ寸法が家屋３０の１階の外壁の高さ寸法に相当していることもあり、上下の外壁パネル１０，１０の連結部分の隙間は防水性および耐候性に優れた目地処理剤を充てんすれば仕上げ後の外観に不都合が生じることはない。
【符号の説明】
【００３８】
１０  外壁パネル
１２  外装材
１４  突出部
１５  プレート
１６  室内側壁部
１７  室外側壁部
１７Ａ  リブ
１８  保持部
１９  水抜き孔
２０  断熱材
２２  炭粒層
２４  通気孔
３０  家屋
３２  居室空間
３４  空気対流扇
３６  構造材
４０  内装材
５０  真空断熱材
５２  間詰め材
５４  耐候性コーキング
６０  取付用金具
【図１】
2011252283.tif 000003
【図２】
2011252283.tif 000004
【図３】
2011252283.tif 000005
【図４】
2011252283.tif 000006
【図５】
2011252283.tif 000007
【図６】
2011252283.tif 000008
【図７】
2011252283.tif 000009
【図８】
2011252283.tif 000010